(57)【要約】  本発明は、内部に骨格構造支持体を有する枕、及び前記骨格構造に固定された留め具／ストラップシステムを含む休息用頭頸部支持枕であって、前記骨格構造支持体が前記枕の中に全て包み込まれており、及び、前記骨格構造支持体が、調節可能であってもよい頸部骨格支持体、アーム骨格及び上背部骨格の３つの部分を含む、該休息用頭頸部枕に関する。本発明は、また、起きている状態でも、くつろぐ際、テレビを見る際、テレビゲームで遊ぶ際、ギャンブルをする際などにおける快適さと支持を提供するために用いられることができる。さらに、首を損傷している人の頭部と頚部を支持し、又は乗り物による移動中における首の損傷を避けるために用いることもできる。【選択図】図1
2013521835.tif 000002
【特許請求の範囲】
【請求項１】
内部に骨格構造支持体を有する枕、及び前記骨格構造に固定された留め具／ストラップシステムを含む休息用頭頸部枕であって、前記骨格構造支持体が前記枕の中に全て包み込まれており、及び、前記骨格構造支持体が、調節可能であってもよい頸部骨格支持体、アーム骨格及び上背部骨格の３つの部分を含む、該休息用頭頸部枕。
【請求項２】
前記留め具／ストラップシステムが前記留め具に接続された支持調節可能なストラップを含み、当該調節可能なストラップが前記骨格構造に固定される、請求項１に記載の休息用頭頸部枕。
【請求項３】
前記骨格構造支持体が１つの部品から形成される、請求項１又は２に記載の休息用頭頸部枕。
【請求項４】
前記休息用頭頸部枕がリバーシブルに設計されており、前記枕の上部は起きている間に使用されて、コンピューターの使用時、テレビの観賞時、及びビデオゲームのプレイ時等における支持と快適さを提供し、並びに、前記枕の底部は座った姿勢で眠る際に使用される、請求項１乃至３のいずれかに記載の休息用頭頸部枕。
【請求項５】
装着者の肩に配置されて、前記装着者の頸部を支持するように構成された枕であって、
前記枕の中に全て包み込まれている骨格構造支持体を含んでおり、
前記骨格構造支持体が、前記装着者の頸部を支持するように構成された頸部骨格支持体；前記頸部骨格支持体から延び、前記装着者の頭部を支持するように構成された、間隔を隔てた一対のアーム骨格；及び、前記頸部骨格支持体から延び、前記装着者の後部を支持するように構成された上背部骨格を含む、該枕。
【請求項６】
前記骨格構造支持体に固定されたストラップシステムをさらに含み、当該ストラップシステムが留め具を含む、請求項５に記載の枕。
【請求項７】
前記頸部骨格支持体がＣ型形状である、請求項５又は６に記載の枕。
【請求項８】
前記アーム骨格の各々が、前記装着者の肩に及んで延びるように構成される、請求項５乃至７のいずれかに記載の枕。
【請求項９】
前記上背部骨格が、前記装着者の頚部から上背部下方に伸びるように構成される、請求項５乃至８のいずれかに記載の枕。
【請求項１０】
前記装着者の肩に接触するように構成される肩支持パッドを前記枕にさらに含む、請求項５乃至９のいずれかに記載の枕。
【請求項１１】
前記枕を覆う枕カバーをさらに含む、請求項５乃至１０のいずれかに記載の枕。
【請求項１２】
前記枕がリバーシブルに設計されており、前記枕の上部は起きている間に使用されて、コンピューターの使用時、テレビの観賞時、及びビデオゲームのプレイ時等における支持と快適さを提供し、並びに、前記枕の底部は座った姿勢で眠る際に使用される、請求項１乃至１１のいずれかに記載の休息用頭頸部枕。
【請求項１３】
休息用頭頸部枕のための留め具／ストラップシステムであって、前記留め具／ストラップシステムは、前部、背部、及び上部を有する座席に係合するように構成されており、調整可能な座席留め具、調整可能な座席ストラップ、取り外し可能留め具、及び支持座席ブレースを含み；ここで、前記調整可能な座席留め具は、前記座席の背部及び前部に取り付けられるように構成された背部留め具、及び、前記座席の前部及び上部に取り付けられるように構成され、支持座席ブレースとして延びている前部留め具の２つの部品を含み；及び、前記調整可能な座席ストラップシステムは、前記調整可能な座席留め具、及び前記枕に連結する前記取り外し可能留め具に連結しており、前記取り外し可能留め具は、前記枕を前記調整可能な座席留め具から分離し得る、該留め具／ストラップシステム。
【発明の詳細な説明】
【技術分野】
【０００１】
本発明は、枕の内部に支持骨格構造を備えた頭頸部支持枕に関する。本発明は、頭及び首の支えに使用され、乗物で移動中に座りながら眠る際の快適さを提供する。
【背景技術】
【０００２】
出願人が本発明を着想した理由は、出願人と同様に大多数の人々は旅行（飛行機、列車、バス旅行及び自動車の乗客等）中に座っている場合には快適に眠ることができないということによる。出願人が本発明を着想したもう一つの理由は、本発明が首を損傷している人に適しており、旅行（飛行機、列車、バス旅行及び自動車の乗客等）中に彼らの頭頸部をしっかり固定した状態にするのに役立ち得るからである。また、これにより大きな快適感が得られるであろう。市販の多くの異なる頭頸部枕を研究し調査したところ、いずれの枕も座ったまま眠る際に十分な支持と快適さを与えるものではなかった。本発明者らは、十分な支持によって首の形状に合わせて適合する支持骨格構造を枕の内部に有し、大きな快適さを与える頭頸部枕を発明するに至った。
【発明の概要】
【発明が解決しようとする課題】
【０００３】
本発明の休息用頭頸部枕は、首、頭及び上背に支持を与える新しいスタイルの支持枕である。当該枕は、乗物で移動中に座ったまま眠っている間にも大きな快適さを提供する。
【課題を解決するための手段】
【０００４】
本発明は、枕の内部に支持骨格構造を有する休息用頭頸部支持枕に関する。本発明は、頭及び首の支えに使用され、乗物で移動中に座りながら眠る際の快適さを提供する。本発明は、首を損傷している人の頭頸部を支持するため、または、移動中における首の損傷を防ぐためにも使用される。主な構成要素は２つのものからなる。即ち、内部に支持骨格構造を有する枕であって、これは頭、首及び上背を支持し快適さを与え、及び、座先に連結させたときに枕に追加の支持を与える調整可能な留め具に結合している支持調整可能ストラップである。
【０００５】
即ち、本発明は以下の構成を有する：
（１）内部に骨格構造支持体を有する枕、及び前記骨格構造に固定された留め具／ストラップシステムを含む休息用頭頸部枕であって、前記骨格構造支持体が前記枕の中に全て包み込まれており、及び、前記骨格構造支持体が、調節可能であってもよい頸部骨格支持体、アーム骨格及び上背部骨格の３つの部分を含む、該休息用頭頸部枕；
（２）前記留め具／ストラップシステムが前記留め具に接続された支持調節可能なストラップを含み、当該調節可能なストラップが前記骨格構造に固定される、（１）に記載の休息用頭頸部枕；
（３）前記骨格構造支持体が１つの部品から形成される、（１）又は（２）に記載の休息用頭頸部枕；
（４）前記休息用頭頸部枕がリバーシブルに設計されており、前記枕の上部は起きている間に使用されて、コンピューターの使用時、テレビの観賞時、及びビデオゲームのプレイ時等における支持と快適さを提供し、並びに、前記枕の底部は座った姿勢で眠る際に使用される、（１）乃至（３）のいずれかに記載の休息用頭頸部枕；
（５）装着者の肩に配置されて、前記装着者の頸部を支持するように構成された枕であって、前記枕の中に全て包み込まれている骨格構造支持体を含んでおり、前記骨格構造支持体が、前記装着者の頸部を支持するように構成された頸部骨格支持体；前記頸部骨格支持体から延び、前記装着者の頭部を支持するように構成された、間隔を隔てた一対のアーム骨格；及び、前記頸部骨格支持体から延び、前記装着者の後部を支持するように構成された上背部骨格を含む、該枕；
（６）前記骨格構造支持体に固定されたストラップシステムをさらに含み、当該ストラップシステムが留め具を含む、（５）に記載の枕；
（７）前記頸部骨格支持体がＣ型形状である、（５）又は（６）に記載の枕。
（８）前記アーム骨格の各々が、前記装着者の肩に及んで延びるように構成される、（５）乃至（７）のいずれかに記載の枕；
（９）前記上背部骨格が、前記装着者の頚部から上背部下方に伸びるように構成される、（５）乃至（８）のいずれかに記載の枕。
（１０）前記装着者の肩に接触するように構成される肩支持パッドを前記枕にさらに含む、（５）乃至（９）のいずれかに記載の枕；
（１１）前記枕を覆う枕カバーをさらに含む、（５）乃至（１０）のいずれかに記載の枕；
（１２）前記枕がリバーシブルに設計されており、前記枕の上部は起きている間に使用されて、コンピューターの使用時、テレビの観賞時、及びビデオゲームのプレイ時等における支持と快適さを提供し、並びに、前記枕の底部は座った姿勢で眠る際に使用される、（１）乃至（１１）のいずれかに記載の休息用頭頸部枕。
（１３）休息用頭頸部枕のための留め具／ストラップシステムであって、前記留め具／ストラップシステムは、前部、背部、及び上部を有する座席に係合するように構成されており、調整可能な座席留め具、調整可能な座席ストラップ、取り外し可能留め具、及び支持座席ブレースを含み；ここで、前記調整可能な座席留め具は、前記座席の背部及び前部に取り付けられるように構成された背部留め具、及び、前記座席の前部及び上部に取り付けられるように構成され、支持座席ブレースとして延びている前部留め具の２つの部品を含み；及び、前記調整可能な座席ストラップシステムは、前記調整可能な座席留め具、及び前記枕に連結する前記取り外し可能留め具に連結しており、前記取り外し可能留め具は、前記枕を前記調整可能な座席留め具から分離し得る、該留め具／ストラップシステム。
【図面の簡単な説明】
【０００６】
【図１】図１は、カバー、ストラップシステム及び骨格構造支持体を有する休息用頭頸部支持枕（０、２、３、４、１０、１２、１４）の正面図である。
【図２】図２は、カバー、ストラップシステム及び骨格構造支持体を有する休息用頭頸部支持枕（０、２、３、４、１０、１２、１４）の背面図である。
【図３】図３は、骨格構造支持体（５、７、８、９）の側面図である。
【図４】図４は、骨格構造支持体（５、８、９）の３／４側面図である。
【図５】図５は、骨格構造支持体（５、７、８、９）の背面図である。
【図６】図６は、骨格構造支持体（５、７、８、９）の３／４背面図である。
【図７】図７は、骨格構造支持体（５、７、８、９、１３）の底面図である。
【図８】図８は、プラグ（６）を示す図である。
【図９】図９は、留め具システム（０、１、２、３．Ｆ、４、６）を示す図である。
【図１０】図１０は、上下反転位置での枕及び枕カバー（３、９、、１１、１２）を示す図である。
【図１１】図１１は、枕及び肩支持パッド（３、１０、１１）の側面図である。
【図１２】図１２は、枕（１０、１１）の底面図である。
【図１３】図１３は、枕カバーを外した枕及び骨格構造支持体（３．Ｍ、１０、１１）の背面図である。
【図１４】図１４は、骨格構造支持体、ストラップシステム、枕カバー、及び留め具システムカバーを有する、上下反転位置の枕（０、３．Ｆ、４、９、１０、１２、１４）の背面図である。
【発明を実施するための形態】
【０００７】
本発明の休息用頭頸部枕は、人々が座ったまま眠るのに役立つものである。本発明の休息用頭頸部枕の特徴は、枕の内部に、留め具／ストラップシステムに連結した骨格構造支持体を有する点である。
【０００８】
枕（「休息用頭頸部枕」）の形状は、枕に完全に包み込まれる骨格構造の形状となっている点で独特である。
【０００９】
骨格構造支持体は、首骨格支持体、腕骨格及び上背骨格支持体の３つの部分を含み、頭部、首及び上背に最大限の支持と大きな快適さを与える。当該３つの部分は、調節可能であってもよい。１つの実施態様において、前記骨格構造支持体は、装着者の頸部を支持するように構成された頸部骨格支持体；頸部骨格支持体から延び、装着者の頭部を支持するように構成された、間隔を隔てた一対のアーム骨格；及び、頸部骨格支持体から延び、装着者の後部を支持するように構成された上背部骨格を含む。
【００１０】
頸部骨格支持体、アーム骨格、及び上背部骨格を含む骨格構造支持体は、１つの部品から形成されてもよい。或いは、骨格構造支持体は、２以上の部品から形成されてもよい。例えば、骨格構造支持体は、切断線に沿って上背部骨格の中央で２つの部品に分離され、当該２つの部品が使用時に結合されることができる。
【００１１】
座席にしっかり固定される留め具／ストラップシステムがあるため、それによって頭部、首及び上背に最適な支持が与えられる。休息用頭頸部枕のための留め具／ストラップシステムは、前部、背部、及び上部を有する座席に係合するように構成されており、調整可能な座席留め具、調整可能な座席ストラップ、取り外し可能留め具、及び支持座席ブレースを含み；ここで、前記調整可能な座席留め具は、前記座席の背部及び前部に取り付けられるように構成された背部留め具、及び、前記座席の前部及び上部に取り付けられるように構成され、支持座席ブレースとして延びている前部留め具の２つの部品を含み：及び、前記調整可能な座席ストラップシステムは、前記調整可能な座席留め具、及び前記枕に連結する前記取り外し可能留め具に連結しており、前記取り外し可能留め具は、前記枕を前記調整可能な座席留め具から分離し得る。
【００１２】
枕に組み込まれた肩パッド支持体を有する点でも、本発明の休息用頭頸部枕独特である。
【００１３】
本発明の休息用頭頸部枕は、５つの異なる主要な部分として、枕、骨格構造、調節可能な留め具／ストラップシステム、肩支持パッド、枕カバー及び留め具システムカバーを含む。
【００１４】
本発明の休息用頭頸部枕を、添付の図面を参照してより詳細に説明する。
【００１５】
調節可能な座席留め具（０）：
休息用頭頸部枕の座席留め具は、座席に固定される場合に枕の重さによって自動的に留め具が閉じるという点で、独特の留め具システムである。非常にスムーズな留め具デザインによって、ねじやその他の調節部材は必要とならず、当該留め具システムは、座席を損傷を与えることなく、容易に座席に設置することができる。本発明における１つの実施態様では、調節可能な座席留め具（０）は、２つの部品を含む。１つは、座席の背部に取り付けられるように構成された背部座席留め具である。当該背部座席留め具は、調整可能な座席ストラップに連結されるストラップに包み込まれてもよい。第２の部品は、座席の前部分に取り付けられるように構成され、支持座席ブレースとして延びている留め具の前部分（前部留め具）である。前部留め具が背部留め具までスライドし、又は背部留め具が前部留め具までスライドし、それによって、座席留め具は座席に対して調整可能となる。枕の頭部の重量は、調整可能な座席ストラップに結合しているため、背部座席留め具は前に進み出て、留め具を座席上にしっかり固定する。本発明における別の実施態様では、調節可能な座席留め具は、３つの部品を含む。図９は、その非限定的な例である。図９によれば、調節可能な座席留め具（０）は、背部座席留め具（１）、支持座席ブレース（４）、及びプラグ（６）を含む。
【００１６】
背部座席留め具（１）：
背部座席留め具（１）は、典型的には、上下反転したＬ字型の部品であり、座席の背部に取り付けられるように構成されている。当該背部座席留め具（１）は側端を有し、それによって調節可能な座席ストラップ（２）が横には移動せずに前後にのみ移動できる。当該調節可能な座席ストラップ（２）は、背部座席留め具（１）の任意の適切な部分に取り付けることができるが、好ましくは、背部座席留め具（１）の側端に取り付けられる。背部座席留め具（１）は、その上部の下面に更にスロット（ｓｌｏｔ）を有し、それによって、プラグ（６）は前後にスライドすることが可能となる。調節可能な座席留め具（０）の背部座席留め具（１）は、支持座席ブレース（４）の背部に滑り込む。調節可能な座席ストラップ（２）は、枕（１０）に連結された取り外し可能留め具（３．Ｆ）に連結しており、それが枕（１０）の頭部の重量によって引き下ろされた場合に、調節可能な座席留め具（０）は、座席の前方内側へ自動的に移動する。背部座席留め具（１）は、丈夫で耐久性のある、少し柔軟性のある硬質プラスチックからできている。
【００１７】
支持座席ブレース（４）：
支持座席ブレース（４）は、典型的には、座席の上部を伸びて座席の前面に下がる、上下反転したＬ字型の部品である。支持座席ブレース（４）の上部は、調節可能な座席留め具（１）及び調節可能な座席留め具（２）がその間をスライドできるように、トンネル状の空間を有する２つの平行な層を備える。支持座席ブレース（４）は、留め具の２つの部品（１、４）が一緒になるように、上部先端にプラグ（６）を有する。これは、座席の前面に追加の指示を与え、枕の頭部の重量によって留め具が閉じた状態を維持する。
【００１８】
プラグ（６）：
プラグ（６）は、留め具システムの第３の部材であり、背部座席留め具（１）と支持座席ブレース（４）を接合する。これは、典型的には、上下反転のＬ字型である支持座席ブレース（４）の上部先端部分の内側にあり、小さなくぎ（ｐｅｇ）のような円形状のプラグである。
【００１９】
調節可能な座席ストラップ（２）：
調節可能な座席ストラップ（２）は、丈夫で耐久性のある素材でできている。これらは取り外し可能座席留め具（３．Ｆ、３．Ｍ）及び調節可能な座席留め具（１）に結合している。調節可能な座席ストラップ（２）は、背部留め具（１）に連結する支持座席ブレース（４）に包み込まれている。これらは、任意の長さ（２〜１８ｃｍ）、または枕を使用する人の身長に対して調整可能である。
【００２０】
取り外し可能留め具（３．Ｆ、３．Ｍ）：
取り外し可能留め具（３．Ｆ、３．Ｍ）は、丈夫で耐久性のある硬質プラスチックからできている。これは、休息用頭頸部枕を調整可能な留め具／ストラップシステムから取り外し可能とするために使用される。
【００２１】
頸部骨格支持体（５）：
頸部骨格支持体（５）は丈夫で耐久性のあるプラスチックでできており、調節可能であってもよい３つの部分；（５）、（８）、（９）を含む全体の骨格構造支持体を形成する。これは枕の骨格構造の首支持体である。これは、首の形状に適合して、枕の頸部に優れた支持と快適さを与える。
【００２２】
アーム骨格（８）：
調節可能であってもよいアーム骨格（８）は、調節可能であってもよい頸部格支持体（５）から肩にまで延びる骨格構造支持体の一部である。頭部が枕（１０）の側面上で休息している場合に、当該頭部に支持を与えるアーム形状の構造である。
【００２３】
上背部骨格支持体（９）：
上背部骨格支持体（９）は、上背部支持体の下方に延びる骨格構造支持体の一部であり、頚部と上背部に更なる支持を与える。
骨格構造支持体の３つの部分、すなわち調節可能であり得る（５）、（８）及び（９）の全ては、互いに組み合わさって完全なバランスと快適さを生み出し、枕における頭部、頚部及び肩に大きな安定性の支持をもたらす。全骨格構造支持体は枕の内部に全て包み込まれる。
【００２４】
ストラップスロット（７）：
ストラップスロット（７）は、骨格構造支持体（５）、（８）、（９）の頚部骨格支持体（５）にしっかりと固定するための留め具／ストラップシステム（０）、（１）、（２）、（３．Ｆ、３．Ｍ）、（４）、（６）のストラップである。
【００２５】
枕（１０）：
枕（１０）は、形状適合記憶発泡体材（ｆｏｒｍ  ｆｉｔｔｉｎｇ  ｍｅｍｏｒｙ  ｆｏａｍ）から作られている。当該枕は、堅くかつ繊細であるが、形状適合記憶発泡材であるため、頭部、首、肩の形状及び顔の輪郭に完全に適合する。当該枕は、枕の内部にある骨格構造支持体の硬さを感じ得ないように形成される。枕（１０）の形状は、骨格構造支持体の形状に合わせて作られ、非常に支持性があり快適な枕である。
【００２６】
肩支持パッド（１１）：
肩支持パッド（１１）は、肩の輪郭の形状に成形され、肩支持パッド（１１）の形状は、肩から落ちることなく留まるように成形される。肩支持パッド（１１）は、肩の形状に適合する形状適合記憶発泡体材からできており、この支持体は、肩の上における更なる快適さと安定性を与える。
【００２７】
枕カバー（１２）：
枕カバー（１２）は、枕に完全に適合し得る非常に柔らい伸縮性の材料からできており、それによって、枕の形状が外観に表れ、枕カバー（１２）の形状は枕と同じ形状である。
【００２８】
配置プラグ（１３）：
配置プラグ（１３）は、アーム骨格（８）の中間部の両側にある２つの小さなプラグである。これは、枕の射出成形工程において、骨格構造支持体（５）、（８）、（９）を鋼鉄製鋳型の所定位置に維持するために使用される。
【００２９】
留め具システムカバー（１４）：
留め具システムカバー（１４）は、調節可能な座席留め具（０）のカバーであり、取り外し可能、洗濯可能であって、さらに、色を枕カバーとセットで調和させることもできる。
【００３０】
今日の市場において、本発明のような頭頸部枕は、現在まで発明されていない。
【００３１】
本発明の休息用頭頸部枕は、三種類の異なる使用法を有する。第１の使用法は、直立状態で枕の上面側を、起きている間又は座りながら休息している際に用いることである。多くの別の使用法も存在し、例えば、テレビを見ている間、スポーツを見ている間、コンピューターを使っている間、ゲームやギャンブルをしている間の使用、首に怪我をしている人に指示を与えること、病院での使用、乗物（飛行機、列車、バス、自動車など）で移動中での使用が挙げられる。
第２の使用法は、非常に高い支持であり、それゆえ、座りながら眠る際に枕（１０）の底面側を用いることができる。乗物（飛行機、列車、バス、自動車など）で移動中において、或いは、いつでも、どこでも座りながら眠る際に、休息用頭頸部枕の底面側を使用することが挙げられる。休息用頭頸部枕がリバーシブルに設計されており、枕の上部と底部は、２つの異なる使用法のために２つの異なる態様で用いることができる。第３の使用法としては、枕の更なる支持のために、座席において調節可能な留め具／ストラップシステムと共に休息用頭頸部枕を使用することが挙げられる。
【００３２】
本発明の休息用頭頸部枕は、保険会社の顧客が首のけがをするリスクを低減するという安全性の向上を提供し、それゆえ保険会社とその顧客のコストを削減するため、保険会社にとって有用なものとなる。また、むち打ちの犠牲者も本発明の休息用頭頸部枕を使用することができ、本発明は、彼らの首に支持と快適さを与えるため、その痛みを和らげることができる。航空会社もまた、乗客が飛行中非常に快適に座りながら眠ることができるように、本発明の休息用頭頸部枕を飛行機の座席に組み込むことができる。さらに、航空会社は本発明の休息用頭頸部枕を機内で乗客に貸し出すこともできる。
【００３３】
本発明の休息用頭頸部枕は５種類の異なる大きさで作ることができる。Ｘ−スモール（幼児）、スモール（子供）、ミディアム（大人）、ラージ（大人）、Ｘ−ラージ（大人）である。この場合、枕の構造と形は全く同じであり、大きさのみが異なるようにすることができる。
【符号の説明】
【００３４】
０．  調節可能な座席留め具
１．  背部座席留め具
２．  調節可能な座席ストラップ
３．Ｍ、３．Ｆ  取り外し可能留め具
４．  支持座席ブレース
５．  頸部骨格支持体
６．  プラグ
７．  ストラップスロット
８．  アーム骨格
９．  上背部骨格支持体
１０．  枕
１１．  肩支持パッド
１２．  枕カバー
１３．  配置プラグ
１４．  留め具システムカバー
【図１】
2013521835.tif 000003
【図２】
2013521835.tif 000004
【図３】
2013521835.tif 000005
【図４】
2013521835.tif 000006
【図５】
2013521835.tif 000007
【図６】
2013521835.tif 000008
【図７】
2013521835.tif 000009
【図８】
2013521835.tif 000010
【図９】
2013521835.tif 000011
【図１０】
2013521835.tif 000012
【図１１】
2013521835.tif 000013
【図１２】
2013521835.tif 000014
【図１３】
2013521835.tif 000015
【図１４】
2013521835.tif 000016
【手続補正書】
【提出日】平成25年2月19日(2013.2.19)
【手続補正１】
【補正対象書類名】特許請求の範囲
【補正対象項目名】全文
【補正方法】変更
【補正の内容】
【特許請求の範囲】
【請求項１】
内部に骨格構造支持体を有する休息用頭頸部枕であって、前記骨格構造支持体が前記枕の中に全て包み込まれており、前記骨格構造支持体が、調節可能であってもよい頸部骨格支持体、アーム骨格及び上背部骨格の３つの部分を含む、該休息用頭頸部枕。
【請求項２】
前記骨格構造に固定された留め具／ストラップシステムを更に含む、請求項１に記載の休息用頭頸部枕。
【請求項３】
前記留め具／ストラップシステムが前記留め具に接続された支持調節可能なストラップを含み、当該調節可能なストラップが前記骨格構造に固定される、請求項２に記載の休息用頭頸部枕。
【請求項４】
前記骨格構造支持体が１つの部品から形成される、請求項１〜３のいずれか１項に記載の休息用頭頸部枕。
【請求項５】
前記休息用頭頸部枕がリバーシブルに設計されており、前記枕の上部は起きている間に使用されて、コンピューターの使用時、テレビの観賞時、及びビデオゲームのプレイ時等における支持と快適さを提供し、並びに、前記枕の底部は座った姿勢で眠る際に使用される、請求項１〜４のいずれか１項に記載の休息用頭頸部枕。
【請求項６】
装着者の肩に配置されて、前記装着者の頸部を支持するように構成された枕であって、
前記枕の中に全て包み込まれている骨格構造支持体を含んでおり、
前記骨格構造支持体が、前記装着者の頸部を支持するように構成された頸部骨格支持体；前記頸部骨格支持体から延び、前記装着者の頭部を支持するように構成された、間隔を隔てた一対のアーム骨格；及び、前記頸部骨格支持体から延び、前記装着者の後部を支持するように構成された上背部骨格を含む、該枕。
【請求項７】
前記骨格構造支持体に固定されたストラップシステムをさらに含み、当該ストラップシステムが留め具を含む、請求項６に記載の枕。
【請求項８】
前記頸部骨格支持体がＣ型形状である、請求項６又は７に記載の枕。
【請求項９】
前記アーム骨格の各々が、前記装着者の肩に及んで延びるように構成される、請求項６〜８のいずれか１項に記載の枕。
【請求項１０】
前記上背部骨格が、前記装着者の頚部から上背部下方に伸びるように構成される、請求項６〜９のいずれか１項に記載の枕。
【請求項１１】
前記装着者の肩に接触するように構成される肩支持パッドを前記枕にさらに含む、請求項６〜１０のいずれか１項に記載の枕。
【請求項１２】
前記枕を覆う枕カバーをさらに含む、請求項６〜１１のいずれか１項に記載の枕。
【請求項１３】
前記枕がリバーシブルに設計されており、前記枕の上部は起きている間に使用されて、コンピューターの使用時、テレビの観賞時、及びビデオゲームのプレイ時等における支持と快適さを提供し、並びに、前記枕の底部は座った姿勢で眠る際に使用される、請求項１〜１２のいずれか１項に記載の休息用頭頸部枕。
【請求項１４】
休息用頭頸部枕のための留め具／ストラップシステムであって、前記留め具／ストラップシステムは、前部、背部、及び上部を有する座席に係合するように構成されており、調整可能な座席留め具、調整可能な座席ストラップ、取り外し可能留め具、及び支持座席ブレースを含み；ここで、前記調整可能な座席留め具は、前記座席の背部及び前部に取り付けられるように構成された背部留め具、及び、前記座席の前部及び上部に取り付けられるように構成され、支持座席ブレースとして延びている前部留め具の２つの部品を含み；及び、前記調整可能な座席ストラップシステムは、前記調整可能な座席留め具、及び前記枕に連結する前記取り外し可能留め具に連結しており、前記取り外し可能留め具は、前記枕を前記調整可能な座席留め具から分離し得る、該留め具／ストラップシステム。
【手続補正書】
【提出日】平成25年4月11日(2013.4.11)
【手続補正１】
【補正対象書類名】特許請求の範囲
【補正対象項目名】全文
【補正方法】変更
【補正の内容】
【特許請求の範囲】
【請求項１】
内部に骨格構造支持体を有する休息用頭頸部枕であって、前記骨格構造支持体が前記枕の中に全て包み込まれており、前記骨格構造支持体が、頸部骨格支持体、一対のアーム骨格及び上背部骨格の３つの部分を含み、
前記頸部骨格支持体は、上端、下端、左端及び右端を有し、
前記一対のアーム骨格は、夫々、前記頸部骨格支持体の左端及び右端から延びており、各々のアーム骨格の長さは各アーム骨格の幅よりも実質的に大きく、アーム骨格の各々は、装着者の肩に及んで延びるように構成され、
前記上背部骨格は、前記頸部骨格支持体の下端から傾斜して下方に延びている、
該休息用頭頸部枕。
【請求項２】
前記３つの部分は調節可能である、請求項１に記載の休息用頭頸部枕。
【請求項３】
前記骨格構造支持体に固定された留め具／ストラップシステムを更に含む、請求項１又は２に記載の休息用頭頸部枕。
【請求項４】
前記留め具／ストラップシステムが前記留め具に接続された支持調節可能なストラップを含み、当該調節可能なストラップが前記骨格構造支持体に固定される、請求項３に記載の休息用頭頸部枕。
【請求項５】
前記骨格構造支持体が１つの部品から形成される、請求項１〜４のいずれか１項に記載の休息用頭頸部枕。
【請求項６】
前記休息用頭頸部枕がリバーシブルに設計されており、前記枕の上部は起きている間に使用されて、コンピューターの使用時、テレビの観賞時、及びビデオゲームのプレイ時等における支持と快適さを提供し、並びに、前記枕の底部は座った姿勢で眠る際に使用される、請求項１〜５のいずれか１項に記載の休息用頭頸部枕。
【請求項７】
装着者の肩に配置されて、前記装着者の頸部を支持するように構成された枕であって、
前記枕の中に全て包み込まれている骨格構造支持体を含んでおり、
前記骨格構造支持体が、前記装着者の頸部を支持するように構成された上端、下端、左端及び右端を有する頸部骨格支持体；前記頸部骨格支持体の左端及び右端から夫々延び、前記装着者の頭部を支持するように構成された、間隔を隔てた一対のアーム骨格；及び、前記頸部骨格支持体の下端から傾斜して下方に延び、前記装着者の頸部と上背部を支持するように構成された上背部骨格を含み、各々のアーム骨格の長さは各アーム骨格の幅よりも実質的に大きく、前記アーム骨格の各々が、前記装着者の肩に及んで延びるように構成される、該枕。
【請求項８】
前記骨格構造支持体に固定されたストラップシステムをさらに含み、当該ストラップシステムが留め具を含む、請求項７に記載の枕。
【請求項９】
前記頸部骨格支持体がＣ型形状である、請求項７又は８に記載の枕。
【請求項１０】
前記骨格構造支持体が１つの部品から形成される、請求項７〜９のいずれか１項に記載の休息用頭頸部枕。
【請求項１１】
前記装着者の肩に接触するように構成される肩支持パッドを前記枕にさらに含む、請求項７〜１０のいずれか１項に記載の枕。
【請求項１２】
前記枕を覆う枕カバーをさらに含む、請求項７〜１１のいずれか１項に記載の枕。
【請求項１３】
前記枕がリバーシブルに設計されており、前記枕の上部は起きている間に使用されて、コンピューターの使用時、テレビの観賞時、及びビデオゲームのプレイ時等における支持と快適さを提供し、並びに、前記枕の底部は座った姿勢で眠る際に使用される、請求項７〜１２のいずれか１項に記載の枕。
【国際調査報告】
2013521835.tif 000017